(57)【特許請求の範囲】
【請求項１】
高歩止圧延法で圧延する場合と高能率圧延法で圧延する場合の夫々で圧延素材を算出し、各圧延素材を基に所定のパラメータを算出し、各パラメータを基に圧延歩止、格落危険率、能率の夫々で評価を行い、それらの総合評価で前記何れの圧延法で圧延を行うかを設定することを特徴とする圧延法設定方法。
【発明の詳細な説明】
【０００１】
【発明の属する技術分野】
本発明は、鋼材圧延法の設定方法に関し、特に高歩止圧延法か、或いは高能率圧延法の何れかを選択するのに好適なものである。
【０００２】
【従来の技術】
一般に、スラブ寸法、圧延寸法、圧延方向などを基に圧延法を決定し、その圧延法に則って圧延素材を算出設定している。一方、歩止計算では、前記圧延素材を用いて、その製品を製造するのに必要なスラブの大きさから求める基準歩止と、圧延上の制約から決まるスラブの大きさから求める圧延歩止（通常は基準歩止と同値）がある。通常は、一つの圧延材に対しては一つの圧延法で圧延するものとして圧延素材を算出設定しているので、前記算出される歩止は、夫々一つずつである。例えば特開昭５９−２３２６０６号公報では、異厚圧延を行うことにより板厚の異なる鋼板を一度の圧延工程で製造し、能率向上を図っているが、高歩止圧延法で圧延を行うものとして圧延素材を算出している。
【０００３】
【発明が解決しようとする課題】
しかしながら、従来は、可及的に高歩止を図るために、予め高歩止圧延法で圧延を行うものとして圧延素材を算出しているため、要求操業状態が変化すると、それに即応することができず、結果的に能率が低下するという問題がある。
本発明は前記諸問題を解決すべく開発されたものであり、要求操業状態の変化にも即応することができ、歩止及び能率の低下回避並びにそれらの更なる向上を図ることができるように圧延法を設定する圧延法設定方法を提供することを目的とするものである。
【０００４】
【課題を解決するための手段】
上記諸問題を解決するため、本発明のうち圧延法設定方法は、高歩止圧延法で圧延する場合と高能率圧延法で圧延する場合の夫々で圧延素材を算出し、各圧延素材を基に所定のパラメータを算出し、各パラメータを基に圧延歩止、格落危険率、能率の夫々で評価を行い、それらの総合評価で前記何れの圧延法で圧延を行うかを設定することを特徴とするものである。
【０００５】
なお、前記所定のパラメータには、前述した基準歩止や圧延歩止の他、基準歩止式で設定される総合精度や危険率設定値などが挙げられる。
【０００６】
【発明の実施の形態】
以下、本発明の実施の形態について説明する。図１は、本実施形態の圧延法設定方法のロジックである。このロジックでは、まず高歩止圧延法で圧延を行うものとして圧延素材を計算する。次に、高能率圧延法で圧延を行うものとして圧延素材を計算する。次に、夫々の圧延法で求めた圧延素材から、基準歩止ＫＹ、圧延歩止ＡＹ、総合精度Ｄ２、危険率設定値Ｋを求め、更に下記１式及び２式から判定用圧延歩止ＨＡＹ、格落危険率ＪＫの各評価用パラメータを算出する。
【０００７】
ＨＡＹ＝ＡＹ＋α                                          ……… (1)
但し、α：歩止補正率であり、後述する図２に従って、要求される能率の高さに応じて設定される。なお、この１式で判定用圧延歩止ＨＡＹが設定されるのは高能率圧延法で圧延を行うものとして算出した圧延歩止ＡＹのみであり、高歩止圧延法で圧延を行うものとして算出した圧延歩止ＡＹは、そのまま判定用圧延歩止ＨＡＹとして用いる。つまり、高歩止圧延法は、本来高歩止を目標に行う圧延であるから、高能率圧延法に比べて歩止が高いのは当然である。そこで、後述のように、ラインが要求する能率、つまり要求操業状態に応じて歩止補正率αを設定し、それを歩止の低い高能率圧延法の圧延歩止ＡＹに加算して、要求される能率が高ければ高いほど、高能率圧延法が選択される機会を増大するようにしているのである。
【０００８】
ＹＳＡ＝ＫＹ−ＡＹ
ＪＫ＝（Ｄ２×Ｋ＋ＹＳＡ）／２                            ……… (2)
ちなみに、格落危険率ＪＫは、例えば目標とする板幅と板厚の精度が得られるかどうかを考慮した危険率であり、精度が得られない危険が高いほど、数値が小さくなるように設定してある。
【０００９】
次に、後述する図３の制御テーブルに従って、前記二つの圧延法に対して、圧延歩止のランク付け、格落危険率のランク付け、能率のランク付けの各評価項目の評価を行い、それらを総合ランクとして総合評価して何れの圧延法を選択するかを決定する。勿論、このときには、圧延素材は事前に算出されたものを用いる。
【００１０】
前述した図３の制御テーブルでは、まず前記判定用圧延歩止ＨＡＹを用い、二つの圧延法のうち、当該反映用圧延歩止ＨＡＹの高い（大きい）方の圧延歩止ランクＡＹＲＵＮＫを１に、低い（小さい）方の圧延歩止ランクＡＹＲＵＮＫを２に設定する。次いで、前記格落危険率ＪＫを用い、前記二つの各圧延法ごとに、当該格落危険率ＪＫが閾値より大きければ格落危険率ランクＫＲＵＮＫを１に設定し、当該格落危険率ＪＫが閾値より小さく且つ数値が大きい場合には格落危険率ランクＫＲＵＮＫを２に設定し、当該格落危険率ＪＫが閾値より小さく且つ数値が小さい場合には格落危険率ランクＫＲＵＮＫを３に設定する。次いで、高能率圧延法には能率ランクＮＲＵＮＫを１とし、高歩止圧延法には能率ランクＮＲＵＮＫを２とする。
【００１１】
そして、下記３式に従って総合ランクＧＲＵＮＫを算出し、高能率圧延法の総合ランクＧＲＵＮＫと高歩止圧延法の総合ランクＧＲＵＮＫのうち、何れか小さい方の圧延法を選択する。
ＧＲＵＮＫ＝ＡＹＲＵＮＫ×１００＋ＫＲＵＮＫ×１０＋ＮＲＵＮＫ……… (3)
次に、前記図２のマップで選択される歩止補正値αについて説明する。この制御マップは、例えば１ヶ月の操業で、歩止補正値αを操作したときの圧延影響率ここでは能率と歩止の関係について表したものである。前述したように、歩止補正値αが大きければ大きいほど、前記１式で算出される判定用圧延歩止ＨＡＹが大きくなるので、前記図３の制御テーブルでは、圧延歩止ランクＡＹＲＵＮＫが１に設定される可能性が高くなり、その結果、総合ランクＧＲＵＮＫが小さくなるため、高能率圧延法が選択される可能性が高くなる。従って、歩止補正値αが大きくなると能率が向上し、歩止が低下する。但し、能率の向上代に比べて、歩止の低下率は遙かに小さい。具体的には、歩止補正値αを１．５％に設定したときの能率の向上代は１．５％であるが、歩止の低下率は０．０４％である。従って、要求される能率が高い場合には、若干の歩止の低下が発生するものの、歩止補正値αを適切に設定すれば当該歩止の低下を補償できる程度の能率の向上が見込める。逆に、図２には表れていないが、能率が若干低下しても、歩止の大幅な向上を図る歩止補正値αも存在するので、そのような場合には、歩止補正値αを適切に設定することにより、当該能率の低下を保証できる程度の歩止の向上が見込める。
【００１２】
なお、前記評価用パラメータは前述のものに限定されるものではなく、その他のパラメータでも、或いはその他のパラメータとの組合せでも、必要に応じて設定することが可能である。
【００１３】
【発明の効果】
以上説明したように、本発明のうち圧延法設定方法によれば、高歩止圧延法で圧延する場合と高能率圧延法で圧延する場合の夫々で圧延素材を算出し、各圧延素材を基に所定のパラメータを算出し、各パラメータを基に圧延歩止、格落危険率、能率の夫々で評価を行い、それらの総合評価で前記何れの圧延法で圧延を行うかを設定することとしたため、僅かに歩止が低下しても能率を大幅に向上することで歩止の低下分を補償したり、逆に僅かな能率の低下に対して歩止を大幅に向上することで能率の低下分を補償したりすることができるので、歩止及び能率の低下の抑制並びにそれらの更なる向上を図ることができる。
【図面の簡単な説明】
【図１】本発明の圧延法設定方法の一実施形態を示すロジックのフローチャートである。
【図２】図１のロジックに用いられる制御マップである。
【図３】図１のロジックの詳細を示す制御テーブルである。
【図１】
0004284800.tif 000002
【図２】
0004284800.tif 000003
【図３】
0004284800.tif 000004